(57)【特許請求の範囲】
【請求項１】
コンピュータにおいて、モニターに出力する電子文字や電子図形を入力する操作手段を、腕時計状の情報処理機器に温度センサーとジャイロセンサーと振動センサーを内蔵させ、手首の動きと指の動きを前記温度センサーとジャイロセンサーと振動センサーで感知し、前記モニターに出力されるマウスポインタと電子キーボード上のキーボードポインタを前記情報処理機器で操作して電子文字や電子図形を入力するプログラムを記憶した情報処理機器。
【請求項２】
請求項１において機能する情報処理機器の消費電力を抑えるため、帯電系列において、プラスに帯電しやすいアスベスト、硝子、雲母、羊毛、ナイロン、レイヨン、鉛、絹、木綿、麻、木材、亜鉛、アセテート、アルミニウムの群より選択される物質と、マイナスに帯電しやすい、テフロン、塩化ビニール、セロファン、セルロイド、ポリエチレン、アクリル、ポリエステル、ポリプロピレン、白金、ポリスチレン、ゴム、金、ニッケル、銅、鉄、エボナイト、クロムの群より選択される物質の帯電量が比例する物質を粉末化し混ぜて形成する磁性流体、並び前記磁性流体をケーブルに注入して形成する磁性流体ケーブル。
【発明の詳細な説明】
【技術分野】
【０００１】  本発明は、インターネットによって送られてくる、電子文字・電子図形・電子映像・電子音を閲覧・視聴・記憶するためのインタラクティブシステムである。
【背景技術】
【０００２】  「携帯情報機器による地域社会活性化方法」などは考案されている。【特許文献１】特開２００３−１６２６１１号  公報
【発明の開示】
【発明が解決しようとする課題】
【０００３】現在、携帯電話の普及率が１００％に近付き、携帯電話会社のシェア争いは激化し、携帯電話会社の経営環境は過酷になっている。【０００４】デジタルテレビにモデムや光ファイバーを繋いでインターネットをする場合、使用者は余計な時間と費用が発生するため、テレビでインターネットをするという文化が根付かない。【０００５】携帯電話によるインターネット利用は携帯特有の小さな画像により視力低下を招き、またバッテリーの消耗が激しいためインターネットを長時間、利用できない。
【課題を解決するための手段】
【０００６】請求項１に記載のプログラムは、コンピュータにおいて、モニターに出力する電子文字や電子図形を入力する操作手段を、腕時計状の情報処理機器に温度センサーとジャイロセンサーと振動センサーを内蔵させ、手首の動きと指の動きを前記温度センサーとジャイロセンサーと振動センサーで感知し、前記モニターに出力されるマウスポインタと電子キーボード上のキーボードポインタを前記情報処理機器で操作して電子文字や電子図形を入力するプログラムを記憶した情報処理機器である。【０００７】  請求項２に記載のケーブルは、請求項１において機能する情報処理機器の消費電力を抑えるため、帯電系列において、プラスに帯電しやすいアスベスト、硝子、雲母、羊毛、ナイロン、レイヨン、鉛、絹、木綿、麻、木材、亜鉛、アセテート、アルミニウムの群より選択される物質と、マイナスに帯電しやすい、テフロン、塩化ビニール、セロファン、セルロイド、ポリエチレン、アクリル、ポリエステル、ポリプロピレン、白金、ポリスチレン、ゴム、金、ニッケル、銅、鉄、エボナイト、クロムの群より選択される物質の帯電量が比例する物質を粉末化し混ぜて形成する磁性流体、並び前記磁性流体をケーブルに注入して形成する磁性流体ケーブルである。
【発明の効果】
【０００８】  上述した課題を解決し、目的を達成するため、請求項１の効果を以下説明する。【０００９】  本発明により、インターネットにより送られてくる電子文字や電子図形を使用者はコンピュータのキーボードやマウスのような複雑な入力装置から解放され、また入力装置の収容場所を考慮することなく、携帯端末に類似した入力装置によって、マウスポインタとキーボードポインタを移動させネットコンテンツを閲覧できるシステム。【００１０】  上述した課題を解決し、目的を達成するため、請求項２の効果を以下説明する。【００１１】  本発明により、電流と電子が効率よく流れ、消費電力を抑える。【００１２】
【発明を実施するための最良の形態】
【００１３】  以下に添付図面を参照して、この発明にかかる好適な実施の形態を詳細に説明する。【００１４】  図１は、請求項１に適用したシステムの構成を示す図であり、視聴者、ならび閲覧者が請求項１のプログラムで作用する腕時計状の情報処理機器を使いデジタルテレビなどのモニターに表示される図２、図５、図９、図１２などを利用してインターネットを使い、コンテンツを視聴、閲覧、記憶する構成を示した図である。【００１５】図２は、請求項１のプログラムを記憶した情報処理機器で操作するテレビのモニターの表示例を示す図である。基地局を利用して送られてくるコンテンツをテレビ特有の大画面で視聴するため、音楽のコンテンツをアイコン２−３、文字のコンテンツをアイコン２−２、静止画のコンテンツをアイコン２−４、動画のコンテンツをアイコン２−５のように電子画面に表示し、マウスポインタ２−６を請求項１のプログラムで作用する腕時計状の情報処理機器で操作して各アイコンをクリックすることで、画像２−１に表示する図である。各アイコンはマウスポインタ２−６を使い移動させることができ、音楽や静止画や文字や動画のコンテンツを選択できるようになっている。コンテンツを選択すると、ステップＳ１２において設定された登録内容を元に、コンテンツ情報の音楽は音符のアイコン２−３、文字はサイトのＴＩＴＬＥをアイコン２−２に表示、静止画は縮小してアイコン２−４に表示、動画は初めの画像を縮小してアイコン２−５に表示し、ステップＳ１５において、テレビなどの電子画面に映し出される。【００１６】図３は、請求項１に適用した各センサーを内蔵した腕時計状の情報処理機器の図であり、上部Ａの赤外線センサー１０で手の甲の動きを感知する。手の甲を上に上げると赤外線が増えた事を赤外線センサー１０が感知しマウスポインタを上、手の甲を下に下げると赤外線が減った事を赤外線センサー１０が感知し下にマウスポインタを移動させる。ジャイロセンサー１１で手首の回転を感知する。手首を右に傾けるとジャイロは左に傾くため右、手首を左に傾けるとジャイロは右に傾くため左にマウスポインタを移動させる。下部Ｂの赤外線センサー１０と振動センサー１２で手首の腱の動きを感知して指の動きを認識する。それぞれの指は異なる腱と骨で結ばれているため、それぞれの指を動かした時の腱の動きは違い、また腱が動くパターンは決まっているため、それぞれの特定した指を動かす事で、下部Ｂの赤外線センサー１０と振動センサー１２でパターンを感知し、また上部Ａの赤外線センサー１０とジャイロセンサー１１が感知したデータを元に情報処理チップ１４が認識できる。また手首を回転させても、腱と骨の動くパターンは変わらないため情報処理チップ１４は特定した指の動きを赤外線センサー１０と振動センサー１２で認識する。操作スイッチ１５を押す事で、図９のメッセージが表示され、電波送信装置１６によりテレビ３に認識されたデータが送信されマウスポインタとキーボードポインタを手と手首と指の動きで操作できる。【００１７】図４は、請求項１に適用した各センサーを内蔵した腕時計状の情報処理機器の使用例の図である。手の甲３０を矢印２０１のように動かすと、赤外線レーザー３１に感知される��指を矢印２００のように動かすと、手首の内部の腱３２が動かした指に連動して動くため、その動きを赤外センサー１０と振動センサー１２で感知する。手の甲３０の動きを赤外線レーザー３１が感知し、モニターに出力されるマウスポインタとキーボードポインタを左右に動かす。指の動きを赤外センサー１０と振動センサー１２が感知し図１２の電子キーボードをクリックする。【００１８】図５は、請求項１のプログラムを記憶した情報処理機器で操作するテレビのモニターの表示例を示す図である。通信を利用して送られてくるコンテンツを検索するためキーワードを入力し、検索する。３−１は動画をメインにしたコンテンツ、３−２は音楽をメインにしたコンテンツ、３−３は静止画をメインにしたコンテンツ、３−４は文字をメインにしたコンテンツである。検索すると、ステップＳ８００、Ｓ８０１を経由し、ステップＳ８０２、Ｓ８０３、Ｓ８０４、Ｓ８０５において設定された登録内容を元に、ステップＳ８０６において、電子画面に表示される。【００１９】  図６は、請求項２に適用した磁性流体ケーブルを斜めに切断した断面図である。電気が流れる仕組みは、プラス極から電流が流れ、マイナス極から電子が流れている。プラスに帯電しやすい物質とマイナスに帯電しやすい物質の帯電量が比例する物質を粉末化し混ぜて磁性流体にすることで、消費電力を抑える事が出来る。６−１はプラスに帯電しやすいアスベスト、硝子、雲母、羊毛、ナイロン、レイヨン、鉛、絹、木綿、麻、木材、亜鉛、アセテート、アルミニウムなどであり、６−２はマイナスに帯電しやすい、テフロン、塩化ビニール、セロファン、セルロイド、ポリエチレン、アクリル、ポリエステル、ポリプロピレン、白金、ポリスチレン、ゴム、金、ニッケル、銅、鉄、エボナイト、クロム、紙などである。６−３は磁性流体、６−４はケーブルの断面部、６−５はケーブルの表面。【００２０】  図７は、本発明の図２の構成で行われる情報処理について説明するフローチャートであり、インターネットによって得られたデータを元に、情報処理装置が位置検出（ステップＳ１０）・形式情報復元（ステップＳ１１）すると、動画などのコンテンツのデータを縮小してサイドに表示？（ステップＳ１２：Ｙｅｓ）、を経由し、形式情報決定（ステップＳ１３）・データ復元（ステップＳ１４）・出力（ステップＳ１５）によりデータが読み出され、視聴者のデジタルテレビ、カーナビ、コンピュータなどの画面にインターネットによって得られたデータを元にした最適な情報が表示される。【００２１】  図８は、本発明の請求項１の構成で行われる情報処理について説明するフローチャートであり、インターネットによって得られたデータを元に、腕時計状の情報処理機器から認識データを取得すると、データ取得（ステップＳ８０）、上への移動を認識した場合ポインタを上に移動させますか？（ステップＳ８１：Ｙｅｓ）、下への移動を認識した場合ポインタを下に移動させますか？（ステップＳ８２：Ｙｅｓ）、左への移動を認識した場合ポインタを左に移動させますか？（ステップＳ８３：Ｙｅｓ）、右への移動を認識した場合ポインタを右に移動させますか？（ステップＳ８４：Ｙｅｓ）、を経由し、データ送信（ステ��プＳ８５）が行われポインタを最適な位置に移動させコンテンツを操作する。【００２２】  図９は、本発明の請求項１で表示されるメッセージの流れを示したブロック図である。請求項１の腕時計状の情報処理機器を装着し、操作スイッチ１５を押すと「ブレスマウス確認８−１」が表示され「手首を上下に動かしてください８−２」の表示後に手首を２０１のように動かし、認識され記憶されると、「手首を左右に回転させてください８−３」というメッセージが表示され、手首を左右に回転させ、認識され記憶されると、「右クリックする指を動かしてください８−４」というメッセージが表示され、指を２００のように動かし、認識され記憶されると、「左クリックする指を動かしてください８−５」というメッセージが表示され、指を２００のように動かし、認識され記憶されると、「ブレスマウス認識８−６」というメッセージが表示され、マウスポインタを操作する仕組みを示した図である。【００２３】  図１０は、本発明の図５の構成で行われる情報処理について説明するフローチャートであり、インターネットによって得られたデータを元に情報処理装置がＴＩＴＬＥデータ取得（ステップＳ８００）、ＢＯＤＹ  ＢＧＣＯＬＯＲデータ取得（ステップＳ８０１）すると、バナーにコンテンツをアイコン化して表示するため、優先順位１位の動画形式認識（ステップＳ８０２：Ｙｅｓ）優先順位２位の画像形式認識（ステップＳ８０３：Ｙｅｓ）優先順位３位のサウンド形式認識（ステップＳ８０４：Ｙｅｓ）優先順位４位のＴＩＴＬＥ認識（ステップＳ８０５：Ｙｅｓ）を経由し、データ送信（ステップＳ８０６）され、図５に最適な情報が表示される。なお、優先順位４位のＴＩＴＬＥ認識（ステップＳ８０５：Ｎｏ）の場合は安全のため表示されない。【００２４】  図１１は、請求項２の磁性流体ケーブルの内部構成図である。請求項２を電源ケーブルとして機器に繋ぐため「接続部６−６」を作成する必要がある。「接続部６−６」の作成方法は、磁性流体のベース液である、水やイソパラフィンやアルキルナフタレン、パーフルオロポリエーテルやポリビニルアルコールなどの群より選択される物質に６−１と６−２の帯電量が比例した金属製の物質を混ぜ合わせ、加熱して融解する。次に融解によって出来た物質を、チューブ状の容器に流し込み、融解した状態で電気を流す。電気を流し続けた状態で、冷やして固める。これにより、「接続部６−６」を作成できる。【００２５】  図１２は、請求項１の腕時計状の情報処理機器で操作する電子キーボードとキーボードポインタをテレビ画面に表示させ電子文字を入力する際の表示例を示す図である。操作方法は、請求項１の「腕時計状の情報処理機器」図３を、図４のようにして両手に装着させる。次に図８のフローチャートで説明する。情報処理装置がデータ取得（ステップＳ８０）すると、上への移動を認識した場合ポインタを上に移動させますか？（ステップＳ８１：Ｙｅｓ）、下への移動を認識した場合ポインタを下に移動させますか？（ステップＳ８２：Ｙｅｓ）、左への移動を認識した場合ポインタを左に移動させますか？（ステップＳ８３：Ｙｅｓ）、右への移動を認識した場合ポインタを右に移動させますか？（ステップＳ８４���Ｙｅｓ）、を経由し、データ送信（ステップＳ８５）が行われキーボードポインタを最適な位置に移動させ表示する。【００２６】図１３は請求項１の情報処理機器で操作する図１２の構成で行われる情報処理について説明するフローチャートである。請求項１の腕時計状の情報処理機器を装着し、操作スイッチ１５を押すと「ブレスマウス確認」（ステップＳ３００）が表示され「手首を上下に動かしてください」（ステップＳ３０１：ＹＥＳ）の表示後に手首を２０１のように動かし、認識され記憶されると、「手首を左右に回転させてください」（ステップＳ３０２：ＹＥＳ）というメッセージが表示され、手首を左右に回転させ、認識され記憶されると、「右手の親指を動かしてください」（ステップＳ３０３：ＹＥＳ）というメッセージが表示され、指を２００のように動かし、認識され記憶されると、「右手の人差し指を動かしてください」（ステップＳ３０４：ＹＥＳ）というメッセージが表示され、指を２００のように動かし、認識され記憶されると、「右手の中指を動かしてください」（ステップＳ３０５：ＹＥＳ）というメッセージが表示され、指を２００のように動かし、認識され記憶されると、「右手の薬指を動かしてください」（ステップＳ３０６：ＹＥＳ）というメッセージが表示され、指を２００のように動かし、認識され記憶されると、「右手の小指を動かしてください」（ステップＳ３０７：ＹＥＳ）というメッセージが表示され、指を２００のように動かし、認識され記憶されると、「左手の親指を動かしてください」（ステップＳ３０８：ＹＥＳ）というメッセージが表示され、指を２００のように動かし、認識され記憶されると、「左手の人差し指を動かしてください」（ステップＳ３０９：ＹＥＳ）というメッセージが表示され、指を２００のように動かし、認識され記憶されると、「左手の中指を動かしてください」（ステップＳ３１０：ＹＥＳ）というメッセージが表示され、指を２００のように動かし、認識され記憶されると、「左手の薬指を動かしてください」（ステップＳ３１１：ＹＥＳ）というメッセージが表示され、指を２００のように動かし、認識され記憶されると、「左手の小指を動かしてください」（ステップＳ３１２：ＹＥＳ）というメッセージが表示され、指を２００のように動かし、認識され記憶されると、「ブレスマウス認識」（ステップＳ３１３）というメッセージが表示され、キーボードポインタを操作し、５００に電子文字を入力する。
【産業上の利用可能性】
【００２７】  本発明は、マウスやキーボードを使う事なくマウスポインタを操作でき、電子文字を入力できる。更に独自の磁性流体ケーブルにより消費電力を抑え電気機器を利用できる。
【図面の簡単な説明】
【００２８】
【図１】本発明を適用したシステムの構成を示す図である。
【図２】本発明の請求項１のプログラムを記憶した情報処理機器で操作するテレビのモニターの表示例を示す図である。
【図３】図３（ａ）は本発明の請求項１の腕時計状の情報処理機器の正面図、図３（ｂ）はその斜視図である。
【図４】本発明の請求項１の腕時計状の情報処理機器の使用例を示す側面図である。
【図５】本発明の請求項１のプログラムを記憶した情報処理機器で操作するテレビのモニターの表示例を示す図である。
【図６】本発明の請求項２の磁性流体ケーブルを斜めに切断した断面図である。
【図７】図２の構成で行われる情報処理について説明するフローチャートである。
【図８】請求項１の構成で行われる情報処理について説明するフローチャートである。
【図９】請求項１の装置を操作する際、画面に表示される流れのブロック図である。
【図１０】図５の構成で行われる情報処理について説明するフローチャートである。
【図１１】請求項２の磁性流体ケーブルの内部構成図である。
【図１２】請求項１の腕時計状の情報処理機器で操作する電子キーボードとキーボードポインタをテレビ両面に表示させ電子文字を入力する際の表示例を示す図である。
【図１３】請求項１の情報処理機器で操作する図１２の構成で行われる情報処理について説明するフローチャートである。
【符号の説明】１  Ｗａｂサイトを表示するモニター２  携帯電話の基地局３  携帯電話の通信機器を内蔵したデジタルテレビ４  デジタルテレビに内蔵された携帯電話の通信機器５  プログラムを記憶した腕時計状の情報処理機器１０  赤外線センサー１１  ジャイロセンサー１２  振動センサー１３  ボタン電池１４  情報処理チップ１５  操作スイッチ１６  電波送信装置３０  手の甲３１  赤外線レーザー３２  手首の内部の腱５００  文字を表示する箇所５０１  画面に表示される電子キーボード５０３  キーボードポインタ
【図１】
0004527763.tif 000002
【図２】
0004527763.tif 000003
【図３】
0004527763.tif 000004
【図４】
0004527763.tif 000005
【図５】
0004527763.tif 000006
【図６】
0004527763.tif 000007
【図７】
0004527763.tif 000008
【図８】
0004527763.tif 000009
【図９】
0004527763.tif 000010
【図１０】
0004527763.tif 000011
【図１１】
0004527763.tif 000012
【図１２】
0004527763.tif 000013
【図１３】
0004527763.tif 000014